(57)【要約】  【課題】  放送内容の情報記録の状況を簡易に確認可能な放送受信装置及び放送受信方法を提供する。  【解決手段】  ビデオバッファ１１９は、ＴＳパケットの連続性及びビデオＰＥＳデータの連続性を判定し、不連続である場合には、受信失敗と判断する。そして、ビデオバッファ１１９は、所定の集計期間における受信成功数と受信失敗数から録画状況を検出する。ビデオデコーダ部１１０は、この録画状況に基づいて、録画の成功及び失敗がユーザに認識可能な画像を第２表示部１１５に表示させる。【選択図】  図２
2007096730.tif 000002
【特許請求の範囲】
【請求項１】
放送信号を受信する受信手段と、
前記放送信号に含まれる放送内容の情報を記録する記録手段と、
所定期間毎の前記放送内容の情報の記録状況を検出する検出手段と、
前記検出された前記放送内容の情報の記録状況を通知する通知手段とを有することを特徴とする放送受信装置。
【請求項２】
前記通知手段は、前記放送信号に含まれる番組関連情報に基づいて、前記放送内容の情報に対応する番組に関連する情報を通知することを特徴とする請求項１に記載の放送受信装置。
【請求項３】
前記通知手段は、前記放送内容の情報の記録状況に対応する画像を表示する記録状況表示部を有することを特徴とする請求項１又は２に記載の放送受信装置。
【請求項４】
前記記録状況表示部は、更に前記放送内容の情報に対応する画像を表示することを特徴とする請求項３に記載の放送受信装置。
【請求項５】
前記放送受信装置は、２つの筐体を接合した折り畳み構造であり、閉状態において前記記録状況表示部が外部に露出することを特徴とする請求項４に記載の放送受信装置。
【請求項６】
放送信号を受信する受信ステップと、
前記放送信号に含まれる放送内容の情報を記録手段に記録させる記録ステップと、
所定期間毎の前記放送内容の情報の記録状況を検出する検出ステップと、
前記検出された前記放送内容の情報の記録状況を通知する通知ステップとを有することを特徴とする放送受信方法。
【請求項７】
前記通知ステップは、前記放送信号に含まれる番組関連情報に基づいて、前記放送内容の情報に対応する番組に関連する情報を通知することを特徴とする請求項６に記載の放送受信方法。
【発明の詳細な説明】
【技術分野】
【０００１】
本発明は、地上波デジタル放送等を受信する放送受信装置及び放送受信方法に関する。
【背景技術】
【０００２】
近年、携帯電話端末には、様々な機能が搭載されるようになっている。例えば、特許文献１は、通話音声を録音する機能を有する携帯電話端末が提示されている。この携帯電話端末は、録音ボタンが押下された際に、それを検知して、録音表示用の受光素子を点灯させるものである。
【０００３】
また、近年の携帯電話端末は、テキスト情報や画像情報を表示する表示部を大きくしたいという要求と、未使用時にコンパクトに収納したいという要求から折り畳み型のものが主流となっている。また、携帯電話端末の高機能化に伴い、折り畳んだ状態でも端末の状態や時刻、着信情報、メールの確認等を可能とすべく、メインの液晶ディスプレイ以外にサブの液晶ディスプレイを搭載する端末が主流となり、簡単な操作であれば、端末を折り畳んだままの状態で行うことができるようになっている。
【０００４】
更に最近では、ＦＭチューナやアナログテレビチューナを搭載した携帯電話端末も登場し始め、ラジオの受信やテレビの受信が可能になってきている。また、今後、地上デジタルテレビ放送が携帯受信機向けに１セグテレビ放送を行う予定があり、携帯電話端末にもデジタル放送の受信機能が搭載される可能性がある。
【０００５】
図７は、従来の地上デジタル放送受信機能付き携帯電話端末の構成図である。この携帯電話端末は、携帯電話機能を実現する表示部７０９、スピーカ７１０、マイク７１１、制御部７１２、アンテナ７１３、送受信部７１４、不揮発性メモリ７１５、カメラ７１６、操作部７１７に加え、地上デジタル放送受信機能を実現するための放送受信用のアンテナ７０１、地上デジタル放送対応のチューナ７０２、ＯＦＤＭ復調部７０３、デスクランブラ７０４、ＭＰＥＧ−２トランスポートストリーム（ＴＳ）分離部７０５、オーディオデコーダ部７０６、ビデオデコーダ部７０７、データ処理部７０８を有する。
【０００６】
デジタル放送の受信アプリケーションが起動されると、制御部７１２は、アプリケーションからの指示に従い、チューナ部７０２に対して選局を指示する。チューナ部７０２は、指示されたチャンネルを選局し、受信した信号をＯＦＤＭ復調部７０３に出力する。ＯＦＤＭ復調部７０３は、この受信信号からＴＳを取り出し、デスクランブラ７０４へ出力する。デスクランブラ７０４は、ＴＳにスクランブルがかけられている場合にはデスクランブル処理を行い、ＴＳ分離部７０５へ出力する。ＴＳ分離部７０５は、入力したＴＳを番組情報、サービス情報、ビデオストリーム、オーディオストリーム、データカルーセル等に分離し、それぞれ対応するデコーダにデータを渡す。ビデオデコーダ部７０７によってデコードされたビデオデータは表示部７０９に表示され、オーディオデコーダ部７０６でデコードされたオーディオデータはスピーカ７１０より出力される。これにより、地上デジタル放送受信機能付き携帯電話端末は、ユーザに対して受信した番組の提示を行う。
【０００７】
なお、地上デジタル放送では、放送信号の中に番組情報（番組名、放送時間、放送開始時刻等）も含まれて送信されており、携帯電話端末は、これを受信することで電子番組表（ＥＰＧ）の機能を実現することができる。更には、端末に搭載されるメモリ（外部メモリを含む）の容量を大きくすることによって、ＥＰＧを使用した録画予約機能も実現可能となる。
【特許文献１】特開平９−２７８４０号公報
【発明の開示】
【発明が解決しようとする課題】
【０００８】
ところで、地上デジタル放送では、放送信号の受信状況が悪い場合、データの受信エラーが発生することがある。受信エラーが発生した場合、エラー箇所を含むデコード単位が全てデコード不可となり、ビデオの場合はフレームドロップ、オーディオの場合は音飛びが発生することになる。特にビデオストリームの場合、オーディオストリームに比べてデコード単位が大きいため、１つの受信エラーの影響範囲が大きい。特に、携帯電話端末での受信の場合には、固定受信機に比べてアンテナの大きさや受信感度の点で不利であり、また、受信場所が固定でないために、放送信号の受信状況は時々刻々変化する。従って携帯受信端末が地上デジタル放送の録画を行う場合、録画機能が正常に起動されていたとしても、録画したデータをほとんど再生することができないという状況が起こりうる。このため、ユーザとしては受信及び録画が正常に行われているかを確認したいという要求が存在することが予想される。
【０００９】
また、携帯電話端末が、ＥＰＧ等から番組情報を取得して、取得した番組情報を使用して録画予約を行う場合、予約した番組より前の番組で放送の延長があった場合や、急遽番組が変更になった場合に希望する番組以外の番組が録画されてしまうことがある。更には、ユーザ操作によって録画するチャンネルや録画時間が設定される場合、設定ミスで意図しない番組が予約されることもありうる。折り畳み型のテレビ録画機能付きの携帯電話端末で、上述した録画の失敗を避けるためには、ユーザは、録画開始時に端末を開状態にしてテレビアプリを起動し、受信している放送内容を確認するといった煩雑な操作が必要となる。また、上述したような録画の失敗は、ユーザの希望するデータの録画ができないだけでなく、携帯電話端末のバッテリーを浪費するという問題がある。
【００１０】
本発明は、上述したような問題点を解決するためになされたものであり、本発明の目的は、放送内容の情報記録の状況を簡易に確認可能な放送受信装置および放送受信方法を提供することにある。
【課題を解決するための手段】
【００１１】
本発明は、放送信号を受信する受信手段と、前記放送信号に含まれる放送内容の情報を記録する記録手段と、所定期間毎の前記放送内容の情報の記録状況を検出する検出手段と、前記検出された前記放送内容の情報の記録状況を通知する通知手段とを有する放送受信装置である。
【００１２】
この構成により、ユーザは、所定期間毎の放送内容の情報の記録状況を簡易に確認することができる。
【００１３】
また、本発明は、前記通知手段が、前記放送信号に含まれる番組関連情報に基づいて、前記放送内容の情報に対応する番組に関連する情報を通知する。
【００１４】
この構成により、ユーザは、番組名等の確認が可能となり、希望する番組の録画の成否を把握することができる。
【００１５】
また、本発明は、前記通知手段が、前記放送内容の情報の記録状況に対応する画像を表示する記録状況表示部を有する。
【００１６】
また、本発明は、前記記録状況表示部が、更に前記放送内容の情報に対応する画像を表示する。
【００１７】
また、本発明は、前記放送受信装置が、２つの筐体を接合した折り畳み構造であり、閉状態において前記記録状況表示部が外部に露出する。
【００１８】
この構成により、ユーザは、放送受信装置が閉状態であっても、放送内容の情報の記録状況を簡易に確認することができる。
【００１９】
また、本発明は、放送信号を受信する受信ステップと、前記放送信号に含まれる放送内容の情報を記録手段に記録させる記録ステップと、所定期間毎の前記放送内容の情報の記録状況を検出する検出ステップと、前記検出された前記放送内容の情報の記録状況を通知する通知ステップとを有する放送受信方法である。
【００２０】
また、本発明は、前記通知ステップが、前記放送信号に含まれる番組関連情報に基づいて、前記放送内容の情報に対応する番組に関連する情報を通知する。
【発明の効果】
【００２１】
本発明によれば、放送信号に含まれる放送内容の情報が記録される場合に、所定期間毎のその放送内容の情報の記録状況がユーザに通知されるため、ユーザは、所定周期毎の放送内容の情報の記録状況を簡易に確認することができる。
【発明を実施するための最良の形態】
【００２２】
図１は、テレビ録画機能付き折畳み型の携帯電話端末の外観図である。図１に示す携帯電話端末は、第１表示部５２を有する第１筐体５０と、操作部５３を有する第２筐体５１とが接合されており、第１の表示部５２と操作部５３とが内側になるように折畳み可能となっている。また、携帯電話端末の内側には、開閉状態検出用スイッチ５４、５５が設けられており、これらによって携帯電話端末の開閉状態を検出することができるようになっている。
【００２３】
また、第１筐体５０の外側にはスピーカ５６、第２表示部５７、録画状態確認ボタン５８が設けられている。スピーカ５６は、電話やメールの着信音、アラームの鳴動、テレビ受信時の音声出力等を行う。第２表示部５７は、第１表示部５２より小さなＬＣＤによって構成され、通常時は時刻や新着メールや着信の報知、バッテリー残量や電波強度等の携帯電話端末の状態表示を行う。録画状態確認ボタン５８は、携帯電話端末の録画状態を確認するためのボタンであり、閉状態で録画中にユーザによって録画状態確認ボタン５８を押下された場合、スピーカ５６が録画中の放送の音声を出力したり、第２表示部５７が再生画像を表示する。なお、録画状態確認ボタン５８は他の機能と兼用とし、放送の録画機能が起動されている場合のみ、録画状態確認ボタンとして機能するように構成されていてもよい。
【００２４】
図２は、テレビ録画機能付き折畳み型の携帯電話端末の構成図である。図２に示す携帯電話端末は、無線通信網を介してデータの送受信を行う無線通信部、地上デジタル放送信号を受信する放送信号受信部、携帯電話端末全体を制御する制御部１０１に大きく分けられる。
【００２５】
無線通信部は、携帯電話用アンテナ１０２、無線部１０３、メモリ１０４、キー操作部１０５、第２の表示部１１５、第１の表示部１１６、データ処理部１１１、オーディオデコーダ部１１２、スピーカ１１３、マイク１１４、開閉検出スイッチ１１７により構成される。一方、放送信号受信部は、放送受信用のアンテナ１０６、地上デジタル放送用のチューナ１０７、復調部１０８、多重分離部１０９、ビデオデコーダ部１１０、記録部１１８、ビデオバッファ１１９、オーディオバッファ１２０により構成される。
【００２６】
以下、図２に示す携帯電話端末における放送受信時の動作を説明する。地上デジタル放送の受信が開始されると、制御部１０１は、チューナ１０７に対して、前回起動時に最後に選局されたチャンネルへの選局を指示する。チューナ１０７は、指定されたチャンネルを選局し、アンテナ１０６によって受信された信号を復調部１０８へ出力する。復調部１０８は、受信信号に対してＯＦＤＭ復調を施してＴＳを取り出し、多重分離部１０９へ出力する。多重分離部１０９は、ＴＳを構成する各ＴＳパケットを、そのパケットＩＤに基づいて、番組情報、サービス情報、ビデオストリームデータ、オーディオストリームデータ、データカルーセル等に分離し、それぞれ対応するデコーダへ出力する。
【００２７】
ビデオストリームデータのＴＳパケットは、ビデオバッファ１１９へ送られてバッファリングされ、デコード単位のデータ（ビデオＰＥＳデータ）に再構成される。ビデオデコーダ部１１０は、ビデオＰＥＳデータをデコードし、第１の表示部１１６に、このデコードしたビデオＰＥＳデータによる画像表示を行わせる。一方、オーディオトリームデータのＴＳパケットは、オーディオバッファ１２０に送られてバッファリングされ、オーディオＰＥＳデータに再構成される。オーディオデコーダ部１１２は、ビデオデコード部１１０のデコードと同期しながらオーディオＰＥＳデータをデコードし、スピーカ１１３に、このデコードしたオーディオＰＥＳデータによる音声出力を行わせる。また、データ処理部１１１は、データカルーセルを処理し、アプリケーションの表示モードに合わせて、この処理後のデータカルーセルによる画像表示を第１の表示部１１６に行わせたり、処理後のデータカルーセルをメモリ１０４に記憶させる。なお、ビデオバッファ１１９及びオーディオバッファ１２０は、ＰＥＳデータ再構成中にＴＳパケットの不連続やデータのエラーを検出した場合に、デコード不可能と判断し、そのＰＥＳデータを廃棄する。
【００２８】
ところで、地上デジタル放送において受信されるサービス情報の中に、イベント情報テーブルがある。このイベント情報テーブルには現在放送中の番組の番組名や放送時間等の番組情報、次以降に放送される番組の番組情報が格納されている。携帯電話端末は、これらの情報に基づいて、視聴予約や録画予約を実現することができる。また、携帯電話端末は、通信機能を利用して、ネットワーク経由で番組情報を取得して録画予約を行うことも可能である。
【００２９】
携帯電話端末では、制御部１０１は、録画予約を行う場合、受信したイベント情報テーブルから録画予約する番組の情報を取得し、予約情報を作成してメモリ１０４に格納する。予約情報は、チャンネル番号、番組名、放送開始時刻、放送時間等からなる。
【００３０】
次に、図２に示す携帯電話端末における予約録画時の動作について説明する。制御部１０１は、携帯電話端末の時刻情報と録画予約の放送開始時刻とを比較し、放送開始時刻の一定時間前になるとチューナ１０７をはじめとする放送信号受信部を起動して、放送信号の受信を開始する。そして、放送開始時刻になった時点で、復調部１０８は、受信信号に対してＯＦＤＭ復調を施してＴＳを取り出し、多重分離部１０９へ出力する。多重分離部１０９は、上述と同様、ＴＳを構成する各ＴＳパケットを、そのパケットＩＤに基づいて、番組情報、サービス情報、ビデオストリームデータ、オーディオストリームデータ、データカルーセル等に分離し、それぞれ対応するデコーダへ出力する。
【００３１】
ビデオストリームデータのＴＳパケットは、ビデオバッファ１１９へ送られてバッファリングされ、ビデオＰＥＳデータに再構成される。また、一方、オーディオトリームデータのＴＳパケットは、オーディオバッファ１２０に送られてバッファリングされ、オーディオＰＥＳデータに再構成される。これら再構成されたビデオＰＥＳデータとオーディオＰＥＳデータは、順次録画用の記録部１１８に記録される。
【００３２】
図３は、ビデオバッファ１１９におけるビデオＰＥＳデータ再構築時の処理を示すフローチャートである。ビデオバッファ１１９は、ＴＳパケットを受信すると（Ｓ０）、パケットヘッダの解析を行い、パケットヘッダ内から連続性指標情報を取得し、この連続性指標データの値と先に受信済みの連続性指標データの値とを比較する解析を行い（Ｓ１）、受信したＴＳパケットに不連続がないか否かを判定する（Ｓ２）。
【００３３】
受信したＴＳパケットに不連続がない場合は、ビデオバッファ１１９は、この受信したＴＳパケットのヘッダ情報を取り除き、残りのビデオデータを記憶領域内に追加する（Ｓ３）。更に、ビデオバッファ１１９は、ビデオＰＥＳデータが完成したか否かを判定する（Ｓ４）。ビデオＰＥＳデータが未完成であれば、ビデオバッファ１１９は、処理を終了し、次のＴＳパケットの受信を待つ。
【００３４】
一方、ビデオＰＥＳデータが完成した場合、ビデオバッファ１１９は、その完成したビデオＰＥＳデータを記録部１１８に出力して記憶させ（Ｓ５）、予め保持している受信成功数に１を加える（Ｓ６）。更に、ビデオバッファ１１９は、ビデオＰＥＳデータの連続性（フレームドロップがあるか否か）を判定する（Ｓ７）。ビデオＰＥＳデータに不連続がある場合には、ビデオバッファ１１９は、予め保持している受信失敗数に欠落したビデオＰＥＳデータの数を加える（Ｓ８）。
【００３５】
一方、Ｓ２において受信したＴＳパケットが不連続であると判定した場合には、当該ＴＳパケットを含む再構築中のビデオＰＥＳデータは無効となる。このため、ビデオバッファ１１９は、その無効となった再構築中のビデオＰＥＳデータを記憶領域から破棄し（Ｓ１２）、更に受信失敗数に１を加える（Ｓ１３）。
【００３６】
Ｓ７において完成したに連続性があると判定した場合、あるいは、Ｓ８又はＳ１３において受信失敗数を更新した場合、次に、ビデオバッファ１１９は、受信状況の更新タイミングであるか否かを判定する（Ｓ９）。受信状況の更新タイミングである場合には、ビデオバッファ１１９は、その時点の受信成功数と受信失敗数から受信状況を検出する。受信状況は、例えば、受信成功数と受信失敗数の比から計算される受信成功率である。受信状況の更新は、所定時間毎になされてもよいし、ビデオＰＥＳデータが所定数受信される毎になされてもよい。例えば、３０秒毎にビデオＰＥＳデータの受信数を集計し、５０％に当たる１５秒分のビデオＰＥＳデータの欠落があった場合には、その集計期間における受信状況は受信失敗とされる。このようにして受信状況、換言すれば、録画状況が検出されると、ビデオバッファ１１９は、その受信状況の情報をビデオデコーダ部１１０へ出力する。ビデオデコーダ部１１０は、この受信状況情報に基づいて、受信の成功及び失敗、すなわち、録画の成功及び失敗がユーザに認識可能な情報、例えば画像を第２表示部１１５に表示させる（Ｓ１０）。その後、ビデオバッファ１１９は、受信成功数、受信失敗数ともリセットし（Ｓ１１）、次の受信状況の集計期間における受信成功数、受信失敗数の集計を開始する。
【００３７】
図４は、第２表示部１１５に表示される録画状況の様子を示した図である。画面には、録画中である旨の表示とサービス情報から取得した放送局名、番組名が表示される。更に、画面下側には録画状況の集計期間（ここでは３０秒）を１ブロックとして、録画時間分のブロック２００が表示される。図５は、録画時間のブロック２００の拡大図である。この録画時間分のブロック２００では、録画開始からの集計期間毎の録画状況が異なる色やパターンで表示される。図５の例では、黒地に白点のブロック２０１が録画成功、斜線のブロック２０２が録画失敗、白いブロック２０３が未録画を表している。
【００３８】
このような送受信のリアルタイムな表示により、ユーザは、録画の進捗状況と併せて、集計期間毎の受信の成功及び失敗、すなわち、録画の成功及び失敗をひと目で判断することができるようになる。このため、ユーザは、受信状況が悪い場合には、バッテリー消費を抑えるべく録画を中止したり、場所を変えて録画を継続するといった選択が可能となる。また、受信状況の集計が、例えば、所定時間毎やビデオＰＥＳデータの所定受信数毎に行われるようにすることで、第２表示部１１５における録画状況の表示スペースに応じた適切な録画状況の表示が可能となる。また、ユーザは、録画している番組名の表示により、希望する番組が録画されていない場合には、録画を中止するといった選択が可能となる。
【００３９】
次に、予約録画開始後の録画内容の確認方法について説明する。ユーザによって録画中に録画状態確認ボタン５８が押下されると、録画状態確認ボタン５８の押下がキー操作部１０５を経由して制御部１０１に通知される。制御部１０１は、録画状態確認ボタン５８の押下を検出すると、内蔵する再生タイマ（図示せず）を起動すると同時に、記録部１１８への記録と並行してビデオＰＥＳデータをビデオデコーダ部１１０にも提供し、録画中のストリームの同時再生を行う。この時、制御部１０１は、開閉検出スイッチ１１７が閉状態を検出した場合には、第２表示部１１５に、開状態を検出した場合には第１表示部１１６に、それぞれ再生画像を表示させる。
【００４０】
図６は、第２表示部１１５に併せて表示される録画状況と録画内容の様子を示した図である。ユーザは、表示される再生画像から自分が予約した番組が録画されているか否かを判断することができる。制御部１０１は、再生タイマ満了、又は、ユーザ操作によるキャンセルコマンドによってビデオストリームのデコードを終了させ、記録部１１８への録画のみを継続するように制御する。このような制御によって、ユーザは、受信失敗、すなわち、録画失敗が続くような場合に、その受信内容を画像として確認できるようになる。また録画開始時刻を経過しても録画中の番組名が変更されない場合等には、ユーザは、録画状態確認ボタン５８を押下することで簡単に録画内容を確認して希望する番組が録画されているか否か等を判断することが可能になる。
【００４１】
以上説明したように、本実施形態の携帯電話端末では、簡易に録画状況と録画内容とを確認することができる。なお、上述した実施形態では、録画の途中に録画状況をユーザに通知する場合について説明したが、録画終了後例えば記録ファイルの詳細情報の表示において、通知する場合についても、同様に本発明を適用することができる。録画終了後に受信状況が通知される場合には、ユーザは、途中で視聴不可能になる番組については、最初から見ないといった選択が可能となる。また、上述した実施形態では、予約録画が行われる場合について説明したが、予約録画以外の録画においても、同様に本発明を適用することができる。
【産業上の利用可能性】
【００４２】
以上、説明したように、本発明に係る放送受信装置及び放送受信方法は、放送内容の情報記録の状況を簡易に確認可能であり、放送受信装置及び放送受信方法として有用である。
【図面の簡単な説明】
【００４３】
【図１】携帯電話端末の外観図である。
【図２】携帯電話端末の構成図である。
【図３】ビデオバッファにおけるビデオＰＥＳデータ再構築時の処理を示すフローチャートである。
【図４】録画状況の表示の様子を示す図である。
【図５】録画時間のブロックの拡大図である。
【図６】録画状況と録画内容の表示の様子を示す図である。
【図７】従来の携帯電話端末の構成図である。
【符号の説明】
【００４４】
５０  第１筐体、５１  第２筐体、５２、１１６  第１表示部、５３  操作部、５４、５５、１１７  開閉状態検出用スイッチ、５６  スピーカ、５７、１１５  第２表示部、５８  録画状態確認ボタン、１０１  制御部、１０２  携帯電話用アンテナ、１０３  無線部、１０４  メモリ、１０５  キー操作部、１０６  放送受信用アンテナ、１０７  チューナ、１０８  復調部、１０９  多重分離部、１１０  ビデオデコーダ部、１１１  データ処理部、１１２  オーディオデコーダ部、１１３  スピーカ、１１４  マイク、１１８  記録部、１１９  ビデオバッファ、１２０  オーディオバッファ。
【図１】
2007096730.tif 000003
【図２】
2007096730.tif 000004
【図３】
2007096730.tif 000005
【図４】
2007096730.tif 000006
【図５】
2007096730.tif 000007
【図６】
2007096730.tif 000008
【図７】
2007096730.tif 000009